(57)【要約】【課題】生態系に副次的な障害を与えることなく、効率的かつ極めて簡便に水中の重金属類を吸着固定することができる重金属類の吸着固定剤並びに吸着固定システムを提供する。【解決手段】酸化マグネシウム、酸化カルシウム、及び酸化ケイ素を主材料として含む重金属類の吸着固定剤であって、副材料として、酸化物及び水酸化物、硫酸塩や炭酸塩或いはリン酸塩等の塩化物、及び結晶性粘土鉱物或いは非晶質・準晶質粘土鉱物等の粘土鉱物を含み、主材料並びに副材料は、何れも天然素材であることを特徴とし、港湾や水路或いは排水口等の水中に溶出している重金属類を、イオン交換・イオン吸着作用や、層状結晶による層間取り込み作用、或いは金属錯体結晶による不溶化作用によって吸着・固定する。【選択図】図１
2018051499.tif 000002
【特許請求の範囲】
【請求項１】
酸化マグネシウム、酸化カルシウム、及び酸化ケイ素を主材料として含む重金属類の吸着固定剤であって、
さらに、副材料として、酸化物及び水酸化物、硫酸塩や炭酸塩或いはリン酸塩等の塩化物、及び結晶性粘土鉱物或いは非晶質・準晶質粘土鉱物等の粘土鉱物を含み、
前記主材料並びに副材料は、何れも天然素材であることを特徴とし、
港湾や水路或いは排水口等の水中に溶出している重金属類を、イオン交換・イオン吸着作用や、層状結晶による層間取り込み作用、或いは金属錯体結晶による不溶化作用によって吸着・固定することを特徴とした重金属類の吸着固定剤。
【請求項２】
前記副材料は、前記酸化物及び水酸化物としてギブナイト、ベーマイト、赤鉄鉱、針鉄鉱、フェリハイドライトの内の少なくとも何れか一つ以上を含み、
前記塩化物として方解石、ストレンジャイト、バイスカイト石膏の内の少なくとも何れか一つ以上を含み、
前記粘土鉱物としてカオリナイト、ハロイサイト、バーミュキライト、モンモリロナイト、三十八面体型緑泥岩、アロフェン、イモゴライトの内の少なくとも何れか一つ以上を含むことを特徴とする請求項１に記載の重金属類の吸着固定剤。
【請求項３】
前記主材料を構成する各部材の含有比率は、吸着固定剤の総質量に対して、酸化マグネシウムが１０〜６０質量パーセント、酸化カルシウムが１０〜６０質量パーセント、酸化ケイ素が１０〜２０質量パーセントであり、
前記副材料を構成する各部材の含有比率は、吸着固定剤の総質量に対して、酸化物及び水酸化物が０．１〜５質量パーセント、塩化物が０．１〜５質量パーセント、粘土鉱物が０．１〜５質量パーセントであることを特徴とする請求項１又は２項に記載の重金属類の吸着固定剤
【請求項４】
さらに、有機系非流失型防カビ・防藻剤を含み、前記吸着固定剤が重金属類を吸着固定する際に生ずる強アルカリ化現象によって、海洋生物や藻類の付着防止作用を発揮することを特徴とした請求項１乃至３の何れか一項に記載の重金属類の吸着固定剤。
【請求項５】
請求項１乃至４の何れか一項に記載の重金属類の吸着固定剤、或いは当該吸着固定剤に樹脂類を適宜混錬した半流動体を、港湾の埠頭や岸壁、或いは水路や排水口等の底面や側面に塗布・固着させ、水中の重金属類の吸着固定を図る重金属類の吸着固定システム。
【請求項６】
請求項１乃至４の何れか一項に記載の重金属類の吸着固定剤を鋼材、ＦＲＰ材、合成樹脂材の表面に塗布・固着させたパネルを生成し、複数の当該パネルを港湾の埠頭や岸壁、或いは水路や排水口等の底面や側面に着脱自在に施工して、水中の重金属類の吸着固定を図る重金属類の吸着固定システム。
【請求項７】
請求項１乃至４の何れか一項に記載の重金属類の吸着固定剤を船舶の船体或いは船底の表面に塗布・固着させ、水中の重金属類の吸着固定を図る重金属類の吸着固定システム。
【発明の詳細な説明】
【技術分野】
【０００１】
本発明は、港湾や河川・水路の水中に溶出している重金属類を吸着・固定し、水質環境を保全改良するための浄化材、並びに係る浄化剤を利用した浄化システムに関するものである。
【背景技術】
【０００２】
従来から、船舶の運航速度を維持し船舶機関の燃費向上を図るべく、フジツボや各種二枚貝などの海洋生物の船体への付着を防止する船体防汚塗料が広く用いられて来た。このような船体防汚塗料には、スズ化合物や銅化合物等のいわゆる重金属類が多量に含まれており、係る重金属類の水中への溶出による海洋汚染が深刻な社会問題となっている。
【０００３】
特に、多数の船舶が常時停泊する港湾内における汚染は重大である。各地の港湾は海洋を介し全世界の海に通じているので、各港湾における海水の重金属汚染は、やがて全世界の海洋に拡散されることは容易に想像できる。今後、船体防汚塗料の使用規制が強化され、或いは汚染を減少させる新たな船体防汚塗料が開発されても、今に至るまで長年に亘り累積されてきた重金属類による海洋汚染は容易には解消することができない。
【０００４】
すなわち、海洋における重金属の汚染問題を解決するためには、先ず、各地の港湾や水路における汚染除去に着手することが急務であり、除去作業の早期開始の観点から、汚染除去に要する費用や労力を低コストに抑えることが望ましい。また、港湾近傍に生息する藻類や魚介類などの生態系を保護する観点から、化学薬品による処理や大掛かりな設備建設を必要とする浄化システムよりも、自然浄化による汚染除去方法にその解決手段が求められている。
【０００５】
現在、水質環境への影響が特に甚大なスズ化合物は、防汚塗料としての使用が禁止されるに至ったが、適切かつ安価な代替品が見出されていないため、亜酸化銅を含有する銅化合物系の防汚塗料は未だに使用され続けており、その海水への溶出による水質汚染は引き続き拡大している。一方、水質汚染を伴わない防汚塗料の研究は日々進んでいるものの、抜本的な環境保全型の防汚塗料の早期実現は困難な状況にある。
【０００６】
係る問題を解消すべく、例えば、特許文献１〜３に示されるような種々の技術が開示され、水中に溶出している重金属類の吸着・固定方法が示唆されている。特許文献１に示された従来技術は、藻類の生態活動を利用して水中の重金属類を吸着固定する方法であり、生物を利用した浄化システムであるため最も環境保全に適した浄化方法と言える。しかしながら、生物の生態を利用しているため浄化の効率性に関しては疑問があり、さらに天候・気象などの環境条件によってその効果が大きく左右され易いという問題があった。
【０００７】
また、特許文献２にはカーボンナノチューブを用いて、また、特許文献３にはアルギンサン塩を含んだ特殊な繊維状吸着剤を使用して水中に溶出している重金属類の吸着・固定を行う方法が示唆されている。しかしながら、何れの方法も吸着剤自体の製造に高度の工業力が必要とされ、簡易かつ低コストで水中に溶出している重金属類の吸着・固定を実現することには不向きと言える。
【０００８】
【特許文献１】特開２００４−２９０８０２号公報
【特許文献２】特開２００８−５３８５３１号公報
【特許文献３】特開２０１６−１５９２７９号公報
【発明の開示】
【発明が解決しようとする課題】
【０００９】
本発明は、このような従来からの課題を解決することを目的とするものであって、生態系に副次的な障害を与えることなく、効率的かつ極めて簡便に水中の重金属類を吸着固定することが可能な、重金属類の吸着固定剤並びに吸着固定システムを提供することを目的とする。
【課題を解決するための手段】
【００１０】
本発明の第一の観点による重金属類の吸着固定剤は、
酸化マグネシウム、酸化カルシウム、及び酸化ケイ素を主材料として含む重金属類の吸着固定剤であって、
さらに、副材料として、酸化物及び水酸化物、硫酸塩や炭酸塩或いはリン酸塩等の塩化物、及び結晶性粘土鉱物或いは非晶質・準晶質粘土鉱物等の粘土鉱物を含み、
前記主材料並びに副材料は、何れも天然素材であることを特徴とし、
港湾や水路或いは排水口等の水中に溶出している重金属類を、イオン交換・イオン吸着作用や、層状結晶による層間取り込み作用、或いは金属錯体結晶による不溶化作用によって吸着・固定することを特徴とする。
【００１１】
また、本発明の第二の観点による重金属類の吸着固定剤は、前述した第一の観点において、
前記副材料は、前記酸化物及び水酸化物としてギブナイト、ベーマイト、赤鉄鉱、針鉄鉱、フェリハイドライトの内の少なくとも何れか一つ以上を含み、
前記塩化物として方解石、ストレンジャイト、バイスカイト石膏の内の少なくとも何れか一つ以上を含み、
前記粘土鉱物としてカオリナイト、ハロイサイト、バーミュキライト、モンモリロナイト、三十八面体型緑泥岩、アロフェン、イモゴライトの内の少なくとも何れか一つ以上を含むことを特徴とする。
【００１２】
また、本発明の第三の観点による重金属類の吸着固定剤は、前述した第一又は第二の観点において、
前記主材料を構成する各部材の含有比率は、吸着固定剤の総質量に対して、酸化マグネシウムが１０〜６０質量パーセント、酸化カルシウムが１０〜６０質量パーセント、酸化ケイ素が１０〜２０質量パーセントであり、
前記副材料を構成する各部材の含有比率は、吸着固定剤の総質量に対して、酸化物及び水酸化物が０．１〜５質量パーセント、塩化物が０．１〜５質量パーセント、粘土鉱物が０．１〜５質量パーセントであることを特徴とする。
【００１３】
また、本発明の第四の観点による重金属類の吸着固定剤は、前述した第一乃至第三の何れかの観点において、
さらに、有機系非流失型防カビ・防藻剤を含み、前記吸着固定剤が重金属類を吸着固定する際に生ずる強アルカリ化現象によって、海洋生物や藻類の付着防止作用を発揮することを特徴とする。
【００１４】
また、本発明の第五の観点による重金属類の吸着固定システムは、前述した第一乃至第四の何れかの観点による重金属類の吸着固定剤、或いは当該吸着固定剤に樹脂類を適宜混錬した半流動体を、港湾の埠頭や岸壁、或いは水路や排水口等の底面や側面に塗布・固着させ、水中の重金属類の吸着固定を図る重金属類の吸着固定させることを特徴とする。
【００１５】
また、本発明の第六の観点による重金属類の吸着固定システムは、前述した第一乃至第四の何れかの観点による重金属類の吸着固定剤を、鋼材、ＦＲＰ材、合成樹脂材の表面に塗布・固着させたパネルを生成し、複数の当該パネルを港湾の埠頭や岸壁、或いは水路や排水口等の底面や側面に着脱自在に施工して、水中の重金属類の吸着固定を図ることを特徴とする。
【００１６】
また、本発明の第七の観点による重金属類の吸着固定システムは、前述した第一乃至第四の何れかの観点による重金属類の吸着固定剤を、船舶の船体或いは船底の表面に塗布・固着させ、水中の重金属類の吸着固定を図ることを特徴とする。
【発明の効果】
【００１７】
本発明による重金属類の吸着固定剤や、これを用いた重金属類の吸着固定システムは、水中の重金属類を吸着させ、これを不溶固化する働きのある鉱物類を適宜混合した素材を用いて、水中に溶出した重金属類を吸着固定するので、港湾や水路等の水質浄化を効果的に行う事が可能となる。また、使用する主材料並びに副材料は全て天然素材であるため、水質環境に対して副次的障害を及ぼすこともない。
【発明を実施するための最良の形態】
【００１８】
本発明を実施するための最良の形態である実施例について、本願の明細書に添付した図面類を参照しつつ以下に説明を行う。
【００１９】
先ず、本発明による、水中に溶解した重金属類の吸着・固定の原理について説明を行う。本発明に基づく重金属類の吸着固定剤（以下、単に「本固定剤」という。）には、その主材料並びに副材料として、酸化マグネシウムや酸化カルシウム、酸化ケイ素、その他各種の酸化物や水酸化物、或いは塩化物や各種の粘土鉱物などが含まれている。これらの素材は、水と反応して炭酸塩やカルシウム塩、或いはリン酸塩等の針状結晶を生成し、係る針状結晶が複雑に絡み合った層状結晶構造が本固定剤の表面に形成される。
【００２０】
海水中に溶出している銅やスズ、或いはカドミウム等の重金属イオンは、イオン吸着・イオン交換によって係る層状構造の間に吸着され、強固な金属錯体としてその層状結晶の層間に取り込まれるのである。すなわち、水中の重金属粒子は、本固定剤に金属錯体結晶として固定化され再び水中に溶け出すことはない。
【００２１】
また、本固定剤に含まれている結晶性粘土鉱物或いは非晶質・準晶質粘土鉱物も、重金属類の吸着・固定において大きな働きを示す。すなわち、海水中の重金属イオンは、イオン吸着・イオン交換によって、これらの鉱物（例えば、カオリナイトやモンモリロナイトなど）の表面に吸着される。
【００２２】
但し、これらの鉱物表面に重金属類が吸着されても、それを長期間安定的に固定して不溶化させる必要がある。そのため、係る鉱物の内部に重金属類の元素を沈殿させコロイド状の極微小鉱物を構成し、さらに、このコロイド状の極微小鉱物を再結晶させることより安定化・不溶化させる。
【００２３】
次に、本固定剤について、その製造過程等を含めて説明を行う。先ず、本固定剤の主材料として含まれる酸化マグネシウム、酸化カルシウム及び酸化ケイ素は、何れも天然由来の鉱物として調達される。すなわち、これらの鉱物は採取された後に、適宜粉砕された後、所定の粒径に分級される。因みに、本固定剤に用いる粒度としては、原則として５μｍから３ｍｍ程度であることが好ましい。
【００２４】
続いてこれらの主材料には、混入した異物を除去すべく熱温風乾燥処理が施され、さらにその純度を高める場合には、電気焼成炉やガス焼成炉を用いた焼成処理を加えるようにしても良い。因みに、係る場合の焼成温度範囲は摂氏３００〜９００度程度とすることが好ましく、なお、所要の焼成時間については必要とされる純度に応じて適宜調整することが可能である。
【００２５】
その後、乾燥・焼成などの処理による粒径変化を考慮し、さらに使用材料の粒度分級を行うようにしても良い。以上の工程が終了した主材料は、攪拌機により適宜混錬され貯蔵タンク内に保存される。なお、主材料の各成分の混合比率は、本固定剤の総質量に対して酸化マグネシウムが１０〜６０質量％、酸化カルシウムが１０〜６０質量％、酸化ケイ素１０〜２０質量％の範囲内に設定することが好ましい。
【００２６】
次に、前述の主材料に混合する副材料の製造工程について説明を行う。先ず、本固定剤に含まれる副材料は、主材料と同様に何れも天然素材の鉱物であり、主に酸化物及び水酸化物、硫酸塩や炭酸塩或いはリン酸塩などの塩化物、及び結晶性粘土鉱物或は非晶質・準晶質粘土鉱物などの粘土鉱物の３種である。
【００２７】
これらの内、酸化物及び水酸化物としては、ギブナイト、べーマイト、赤鉄鉱、針鉄鉱、フェリハイドライトの鉱物の内の少なくとも１つ以上を含むものとする。また、塩化物としては、方解石、ストレンジャイト、バイスカイト石膏の鉱物の内の少なくとも１つ以上を含むものとする。さらに、粘土鉱物としては、カオリナイト、ハロイサイト、バーミュキライト、モンモリロナイト、三十八面体型力緑泥岩、アロフェン、イモゴライトの鉱物の内の少なくとも１つ以上を含むものとする。
【００２８】
これらの副材料についても、前述の主材料と同様に、採取後の粉砕、粒径分級、乾燥、焼成、再分級などの各々の処理が施されることは言うまでもない。係る一連の処理が施された後、各副材料を構成する素材は、攪拌機により適宜混錬され主材料と同様に貯蔵タンク内に保存される。なお、副材料各成分の混合比率は、本固定剤の総質量に対して酸化物及び水酸化物が０．１〜５質量％、塩化物が０．１〜５質量％、粘土鉱物が０．１〜５質量％の範囲内に設定することが好ましい。
【００２９】
因みに、本固定剤においては、前述の副材料はあくまでも主材料の働きを促進させる触媒的な働きを担うものであり、その分量はごく微量で足りる。したがって、副材料の各成分を合計した質量の割合は、本固定剤全体の質量に対し多くてもその６〜８質量％程度以下に抑えることが適切である。
【００３０】
その後、前述の過程を経て貯蔵された主材料並びに副材料を必要に応じて混練し本固定剤を生成する。係る混練の過程においては、先ず、スクリュウ式の攪拌機によって大まかな混練を行った後にタンブラー式の攪拌機を使用してきめ細かい混合・混練を行う。なお、混練の詳細な手順や混練時の雰囲気（温度、圧力、所要時間等）などの諸条件は、本固定剤の用途や所要品質等の各種パラメータに応じて適宜変更されることは言うまでもない。なお、以上に説明した本固定剤の製造過程の概略を添付図面・図１のフローチャートに示す。
【００３１】
次に、本固定剤の他の実施例について説明を行う。因みに、他の実施例とは前述の本固定剤に有機系の非流失型防カビ・防藻剤をさらに加えたものをいう。ここで非流失型防カビ・防藻剤とは、カルボン酸系、エーテル系、及びエステル系等を主要成分として、食品添加物などに用いられるものを素材とした抗菌・殺菌効果を有するカビや藻類の繁殖防止剤の一般名称であり、水中や高湿潤環境に置かれてもその有効成分が外部に溶出しないという特性を有している。なお、係る非流失型防カビ・防藻剤は、チオカバーメイト系やフェノール系、或いはトリアジン系等の素材を含まない組成から成る製品が商品化されている。
【００３２】
本固定剤に当該防カビ・防藻剤を加える場合の割合は、本固定剤の使用先での環境によっても異なるが、本固定剤の総質量に対して０．５〜１０質量％程度に設定するのが適切である。なお、当該防カビ・防藻剤を本固定剤に加えるタイミングは、主材料と副材料とを混合・混練する過程（図１の製造工程フローチャートを参照）において、当該防カビ・防藻剤の紛体或いは粒体を追加・混練することが好ましい。但し、同薬剤の追加は、係るタイミングに限定されるものではなく、例えば、主材料の混練時、或いは副材料の混練時に行うようにしても良いし、その他適宜のタイミングを選んで行うようにしても良い。
【００３３】
本固定剤に当該薬剤を加えることにより、フジツボやムラサキイガイなどの他、藻類などを含めて海洋生物の固着を防止する効果が促進される。なお、本固定剤が水中の重金属類を吸着・固定する際に、そのＰＨ（ペーハー）濃度が上昇するいわゆる強アルカリ化現象が発生する。このような本固定剤本来の強アルカリ化の現象自体、海洋生物の付着・寄生を忌避する働きがある。
【００３４】
すなわち、本固定剤に含まれる酸化マグネシウムや酸化カルシウム等の成分が重金属イオンを取り込む際に強いアルカリ性を呈することになる。係る強アルカリ成分によって、フジツボなどの海洋生物の幼生が付着の際に放出する蛋白質接着成分が阻害され、本固定剤への海洋生物の付着を防止することができるのである。そして、本固定剤にさらに当該防カビ・防藻剤を加えることによって、係る海洋生物への忌避効果を一層高めることができる。
【００３５】
次に、本固定剤或いは非流失型防カビ・防藻剤は追加した固定剤（以下、単に「本固定剤等」という。）を利用した、水中の重金属類の吸着固定システムについて以下に説明を行う。
【００３６】
（システム実施例１）
本固定剤等を水や有機溶剤を用いて液化させた後、これを港湾の埠頭や岸壁、或いは水路や排水口等の底面や側面に広く塗装することにより、水中に溶出している重金属類の吸着固定システムを構築することができる。また、液化の希釈度を高め噴霧塗装を行うことにより、短時間の内に広範囲に亘り本固定剤等を用いた重金属類の吸収固定システムを構成することも可能である。
【００３７】
さらに、本固定剤等を、例えば、ポリエチレン、ポリ塩化ビニル、ポリスチレン、ポリウレタン、ポリプロピレン等の高分子樹脂類に混練して半流動体状とし、係る半流動体を対象物に塗布・固着させるようにしても良い。なお、使用する樹脂類としては、これらの他にも、例えばシリコン樹脂やＡＢＳ、或いはＰＥＴ等の樹脂類も用いることが可能である。
【００３８】
また、本固定剤等をエマルジョン塗料に混合して対象物に塗布するようにしても良い。本固定剤等を用いた重金属類の吸着固定システムでは、本固定剤等の塗布層の厚さは実際の塗装方法によって変化するが、重金属類の吸着固定を安定して行い、かつ、その機能を長期間維持させるためには、塗布層の厚さは０．４ｍｍ〜５．０ｍｍ程度に設定することが好ましい。
【００３９】
（システム実施例２）
本固定剤等に水や有機溶剤を用いて液化させた後、これを鋼材やＦＲＰ材、或いは各種合成樹脂材の表面に塗布固着させる。このような塗装済みパネルを多数製造し、これを港湾の埠頭や岸壁、或いは水路や排水口等の底面や側面に広く貼り付け施工ことにより、水中に溶出している重金属類の吸収固定システムを構築することができる。これによって、港湾や水路などの施設に大規模な塗装工事を行う事なく、容易かつ短時間の内にシステム実施例１と同様の重金属類の吸収固定システムが構築可能となる。
【００４０】
なお、当該パネルの施工に関しては、施工後の保守の容易性、並びに施工計画の変更等に鑑み、港湾や水路等の施設に対しボルトや継手などを用いて着脱自在に行う事が好ましい。また、このような工法を用いることによって、製造工場で量産した当該パネルを港湾や水路等の施設に搬入し、現場でノックダウン式に組み上げることで、重金属類の吸着固定システムを短期間のうちに構築することが可能となる。
【００４１】
（システム実施例３）
本固定剤等に水や有機溶剤を用いて液化させた後、これを船舶の船体や船底に塗装することにより、水中に溶出している重金属類の吸収固定システムを構築することができる。一般に、金属系船体の塗装においては、錆止め塗料などの塗装を行う下地処理（アンダーコート）が必要となる。
【００４２】
したがって、係るアンダーコートを船体に施したうえで本固定剤等の塗装（トップコート）を行うことになる。前述したように、本固定剤等はフジツボなどの海洋生物に対して極めて強力な忌避効果を有している。このため、本固定剤等を船体等に塗装した場合は、改めて従来の重金属を含んだ海洋生物忌避剤を船体に塗布する必要がない。
【００４３】
以上説明したように、本固定剤等は、水中に溶出した重金属類を吸着固定する機能を有し、さらに、海洋生物の忌避機能も併せ持っているので、港湾・水路等における海水の浄化を行うと共に、これらの施設における海洋生物の付着も未然に防止することができるという一石二鳥の効果を有している。
【００４４】
なお、本発明の実施形態は、以上に説明した実施例に限定されるものではなく、例えば、各々の実施例を構成する各部位の形状や配置、或いはその素材などは、本発明の趣旨を逸脱することなく、現実の実施態様に即して適宜変更ができるものであることは言うまでもない。
【産業上の利用可能性】
【００４５】
以上に説明した本発明の構成ならびに方法は、海水中に溶出した重金属汚染の浄化技術や、海洋生物の付着防止技術の分野においてその利用が可能である。
【図面の簡単な説明】
【００４６】
【図１】本固定剤の製造方法の概略を示すフローチャートである。
【図１】
2018051499.tif 000003
【手続補正書】
【提出日】平成29年4月2日(2017.4.2)
【手続補正１】
【補正対象書類名】特許請求の範囲
【補正対象項目名】全文
【補正方法】変更
【補正の内容】
【特許請求の範囲】
【請求項１】
酸化マグネシウム、酸化カルシウム、及び酸化ケイ素を主材料として含み、さらに、副材料として、酸化物及び水酸化物、硫酸塩や炭酸塩或いはリン酸塩等の塩化物、及び結晶性粘土鉱物或いは非晶質・準晶質粘土鉱物等の粘土鉱物を含む水中の重金属類の吸着固定剤であって、
前記主材料並びに副材料は、何れも天然素材であることを特徴とし、
前記主材料を構成する各部材の含有比率は、吸着固定剤の総質量に対して、酸化マグネシウムが１０〜６０質量パーセント、酸化カルシウムが１０〜６０質量パーセント、酸化ケイ素が１０〜２０質量パーセントであり、
前記副材料を構成する各部材の含有比率は、吸着固定剤の総質量に対して、酸化物及び水酸化物が０．１〜５．０質量パーセント、塩化物が０．１〜５．０質量パーセント、粘土鉱物が０．１〜５．０質量パーセントであり、
かつ、前記副材料は、
前記酸化物及び水酸化物としてギブナイト、ベーマイト、赤鉄鉱、針鉄鉱、フェリハイドライトの全てを含み、
前記塩化物として方解石、ストレンジャイト、バイスカイト石膏の全てを含み、
前記粘土鉱物としてカオリナイト、ハロイサイト、バーミュキライト、モンモリロナイト、三十八面体型緑泥岩、アロフェン、イモゴライトの全てを含み、
港湾や水路或いは排水口等の水中に溶出している重金属類を、イオン交換・イオン吸着、層状結晶による層間取り込み、及び金属錯体結晶による不溶化によって吸着・固定することを特徴とした水中の重金属類の吸着固定剤。
【請求項２】
さらに、有機系非流失型防カビ・防藻剤を含み、前記吸着固定剤が重金属類を吸着固定する際に生ずる強アルカリ化現象によって、海洋生物や藻類の付着防止作用を発揮することを特徴とした請求項１に記載の水中の重金属類の吸着固定剤。
【請求項３】
請求項１または２に記載の水中の重金属類の吸着固定剤、或いは当該吸着固定剤に樹脂類を適宜混錬した半流動体を、港湾の埠頭や岸壁、或いは水路や排水口等の底面や側面に塗布・固着させ、重金属類の吸着固定を図る水中の重金属類の吸着固定システム。
【請求項４】
請求項１または２に記載の水中の重金属類の吸着固定剤を鋼材、ＦＲＰ材、合成樹脂材の表面に塗布・固着させたパネルを生成し、複数の当該パネルを港湾の埠頭や岸壁、或いは水路や排水口等の底面や側面に着脱自在に施工して、重金属類の吸着固定を図る水中の重金属類の吸着固定システム。
【請求項５】
請求項１または２に記載の水中の重金属類の吸着固定剤を船舶の船体或いは船底の表面に塗布・固着させ、重金属類の吸着固定を図る水中の重金属類の吸着固定システム。

【手続補正２】
【補正対象書類名】明細書
【補正対象項目名】００１０
【補正方法】変更
【補正の内容】
【００１０】
本発明の第一の観点による水中の重金属類の吸着固定剤は、
酸化マグネシウム、酸化カルシウム、及び酸化ケイ素を主材料として含み、さらに、副材料として、酸化物及び水酸化物、硫酸塩や炭酸塩或いはリン酸塩等の塩化物、並びに結晶性粘土鉱物或いは非晶質・準晶質粘土鉱物等の粘土鉱物を含む水中の重金属類の吸着固定剤であって、
前記主材料並びに副材料は、何れも天然素材であることを特徴とし、
前記主材料を構成する各部材の含有比率は、吸着固定剤の総質量に対して、酸化マグネシウムが１０〜６０質量パーセント、酸化カルシウムが１０〜６０質量パーセント、酸化ケイ素が１０〜２０質量パーセントであり、
前記副材料を構成する各部材の含有比率は、吸着固定剤の総質量に対して、酸化物及び水酸化物が０．１〜５．０質量パーセント、塩化物が０．１〜５．０質量パーセント、粘土鉱物が０．１〜５．０質量パーセントであり、
かつ、前記副材料は、
前記酸化物及び水酸化物としてギブナイト、ベーマイト、赤鉄鉱、針鉄鉱、フェリハイドライトの全てを含み、
前記塩化物として方解石、ストレンジャイト、バイスカイト石膏の全てを含み、
前記粘土鉱物としてカオリナイト、ハロイサイト、バーミュキライト、モンモリロナイト、三十八面体型緑泥岩、アロフェン、イモゴライトの全てを含み、
港湾や水路或いは排水口等の水中に溶出している重金属類を、イオン交換・イオン吸着、層状結晶による層間取り込み、及び金属錯体結晶による不溶化によって吸着・固定することを特徴とした水中の重金属類の吸着固定剤。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
また、本発明の第二の観点による水中の重金属類の吸着固定剤は、前述した第一の観点において、
さらに、有機系非流失型防カビ・防藻剤を含み、前記吸着固定剤が重金属類を吸着固定する際に生ずる強アルカリ化現象によって、海洋生物や藻類の付着防止作用を発揮することを特徴とする。
【手続補正６】
【補正対象書類名】明細書
【補正対象項目名】００１４
【補正方法】変更
【補正の内容】
【００１４】
また、本発明の第三の観点による水中の重金属類の吸着固定システムは、前述した第一又は第二の観点による水中の重金属類の吸着固定剤、或いは当該吸着固定剤に樹脂類を適宜混錬した半流動体を、港湾の埠頭や岸壁、或いは水路や排水口等の底面や側面に塗布・固着させ、水中の重金属類の吸着固定させることを特徴とする。
【手続補正７】
【補正対象書類名】明細書
【補正対象項目名】００１５
【補正方法】変更
【補正の内容】
【００１５】
また本発明の第四の観点による水中の重金属類の吸着固定システムは、前述した第一又は第二の観点による水中の重金属類の吸着固定剤を、鋼材、ＦＲＰ材、合成樹脂材の表面に塗布・固着させたパネルを生成し、複数の当該パネルを港湾の埠頭や岸壁、或いは水路や排水口等の底面や側面に着脱自在に施工して、水中の重金属類の吸着固定を図ることを特徴とする。
【手続補正８】
【補正対象書類名】明細書
【補正対象項目名】００１６
【補正方法】変更
【補正の内容】
【００１６】
また本発明の第五の観点による水中の重金属類の吸着固定システムは、前述した第一又は第二の観点による水中の重金属類の吸着固定剤を、船舶の船体或いは船底の表面に塗布・固着させ、水中の重金属類の吸着固定を図ることを特徴とする。